(57)【特許請求の範囲】
【請求項１】
プッシュ情報片を削除する方法であって、
端末装置の地理上の位置情報を決定するステップと、
前記地理上の位置情報及びプリセットデータベースに基づいて、前記端末装置が、ある場所に対応する領域範囲に入ったかどうかを決定し、肯定である場合、前記場所に関連している情報片を前記端末装置にプッシュして、前記端末装置に、前記関連している情報片をプロンプト指示させるステップであって、前記データベースが、各場所の領域範囲情報及び関連している情報片を記憶している、前記ステップと、
前記端末装置が前記場所に対応する前記領域範囲から離れたという決定、および前記プッシュ情報片が視聴されていないという決定後、前記プッシュ情報片を削除する命令を前記端末装置に送信して、前記端末装置に、前記プッシュ情報片を削除させるステップとを含む、前記方法。
【請求項２】
前記データベースの中に記憶されている各場所の前記領域範囲情報が、各場所に対応する位置情報を含み、前記端末装置の前記地理上の位置情報を決定するステップが、
前記端末装置によってアップロードされるポジショニング情報に基づいて、前記端末装置の前記地理上の位置情報を決定して、前記ポジショニング情報、及び各場所に対応し、かつ前記データベースの中に予め記憶されている前記位置情報に基づいて、前記端末装置が、前記場所に対応する前記領域範囲に入ったか、または前記領域範囲から離れたかどうかについての決定を容易にするステップを含む、請求項１に記載の方法。
【請求項３】
前記データベースの中に記憶されている各場所の前記領域範囲情報が、前記それぞれの場所に配備されたワイヤレスネットワークの識別子情報を含み、前記端末装置の地理上の位置情報を決定するステップが、
前記端末装置のＩｎｔｅｒｎｅｔアクセスモードを決定するステップと、
ワイヤレスネットワークの識別子情報を、前記Ｉｎｔｅｒｎｅｔアクセスモードが前記ワイヤレスネットワークを介するＩｎｔｅｒｎｅｔアクセスである場合、決定し、前記ワイヤレスネットワークの前記識別子情報を前記地理上の位置情報として設定して、前記データベースの中に記憶されている場所とワイヤレスネットワーク識別子との間の対応関係に基づいて、前記端末装置が、前記場所に対応する前記領域範囲に入ったかどうかを決定し易くし、前記端末装置が別のＩｎｔｅｒｎｅｔアクセスモードまたは別のワイヤレスネットワークに切り替わると、前記端末装置が、前記場所に対応する前記領域範囲から離れたことを決定し易くするステップとを含む、請求項１に記載の方法。
【請求項４】
プッシュ情報片を削除する方法であって、
端末装置の地理上の位置情報を決定するステップと、
前記地理上の位置情報及びプリセットデータベースに基づいて、前記端末装置が、ある場所に対応する領域範囲に入ったかどうかを決定し、肯定である場合、前記場所に関連している情報片を前記端末装置にプッシュして、前記端末装置の中の第１のアプリケーションに、前記関連する情報片をプロンプト指示させるステップであって、前記データベースが、各場所の領域範囲情報及び関連の情報片を記憶している、前記ステップと、
前記端末装置が前記場所に対応する前記領域範囲から離れたという決定、および前記プッシュ情報片が視聴されていないという決定後、前記プッシュ情報片を削除する命令を前記端末装置に送信して、前記端末装置の中の前記第１のアプリケーションに、前記プッシュ情報片を削除させるステップとを含む、前記方法。
【請求項５】
プッシュ情報片を削除する方法であって、
端末装置によって、サーバ端末によってプッシュされる情報片を受信するステップであって、前記プッシュ情報片は、前記端末装置が、現在、位置している場所に関連している、前記ステップと、
前記サーバ端末によって送信される前記プッシュ情報片を削除する命令が受信されると、前記プッシュ情報片を削除するステップであって、前記命令は、前記端末装置が前記場所から離れたという決定、および前記プッシュ情報片が視聴されていないという決定後、前記サーバによって送信される、前記ステップとを含む、前記方法。
【請求項６】
前記端末装置から入手されるポジショニング情報を前記サーバに送信するステップであって、それにより、前記サーバは、前記ポジショニング情報を使用して、前記端末装置の地理上の位置情報を決定し、前記地理上の位置情報、及び各場所に対応し、かつデータベースの中に予め記憶されている領域範囲情報に従って、前記端末装置が、前記場所に対応する前記領域範囲に入ったか、または前記領域範囲から離れたかどうかを決定する、前記ステップをさらに含む、請求項５に記載の方法。
【請求項７】
プッシュ情報片を削除する方法であって、
端末装置の第１のアプリケーションによって、サーバ端末によってプッシュされる情報片を受信するステップであって、前記プッシュ情報片は、前記端末装置が、現在、位置している場所に関連している、前記ステップと、
前記サーバ端末によって送信される前記プッシュ情報片を削除する命令が受信されると、前記プッシュ情報片を削除するステップであって、前記命令は、前記端末装置が前記場所から離れたという決定、および前記プッシュ情報片が視聴されていないという決定後、前記サーバによって送信される、前記ステップとを含む、前記方法。
【請求項８】
プッシュ情報片を削除する方法であって、
端末装置によって、サーバからプッシュされる情報片を事前に受信し、ローカルに記憶するステップであって、前記情報片が、それぞれの領域範囲属性を含んでいる、前記ステップと、
前記端末装置の地理上の位置情報を決定するステップと、
前記地理上の位置情報に従って、前記端末装置が、特定の情報片に対応する領域範囲に入ったかどうかを決定し、肯定である場合、前記情報片をプロンプト指示するステップと、
前記端末装置が前記情報片に対応する前記領域範囲から離れたという決定、および前記情報片が読まれていないという決定後、前記情報片を削除するステップとを含む、前記方法。
【請求項９】
プッシュ情報片を削除する方法であって、
端末装置の第２のアプリケーションによって、サーバからプッシュされる情報片を事前に受信し、前記端末装置において、ローカルに記憶するステップであって、前記情報片が、それぞれの領域範囲属性を含んでいる、前記ステップと、
前記端末装置の地理上の位置情報を決定するステップと、
前記地理上の位置情報に従って、前記端末装置が、特定の情報片に対応する領域範囲に入ったかどうかを決定し、肯定である場合、前記情報片をプロンプト指示するステップと
前記端末装置が前記情報片に対応する前記領域範囲から離れたという決定、および前記情報片が読まれていないという決定後、前記情報片を削除するステップとを含む、前記方法。
【請求項１０】
領域範囲属性を含む前記情報片が、領域範囲に入った端末装置にプッシュされ、前記端末装置が前記領域範囲から離れると、削除される、請求項９に記載の方法。
【請求項１１】
プッシュ情報片を削除するサーバであって、
端末装置の地理上の位置情報を決定するように構成された第１の地理上の位置情報決定ユニットと、
前記地理上の位置情報及びプリセットデータベースに従って、前記端末装置が、ある場所に対応する領域範囲に入ったかどうかを決定し、肯定である場合、前記場所に関連している情報片を前記端末装置にプッシュして、前記関連する情報片をプロンプト指示するように構成された第１の情報プッシングユニットであって、前記データベースが、各場所の領域範囲情報及び関連する情報片を記憶している、前記第１の情報プッシングユニットと、
前記プッシュ情報片を削除する命令を前記端末装置に送信するように構成された第１の削除命令送信ユニットであって、それにより、前記端末装置は、前記端末装置が前記場所に対応する前記領域範囲から離れたという決定、および前記プッシュ情報片が視聴されていないという決定後、前記プッシュ情報片を削除する、前記第１の削除命令送信ユニットとを備える、前記サーバ。
【請求項１２】
前記データベースの中に記憶されている各場所の前記領域範囲情報が、前記それぞれの場所に対応する場所情報を含み、前記第１の地理上の位置情報決定ユニットは、
前記端末装置によってアップロードされるポジショニング情報に従って、前記端末装置の地理上の位置情報を決定して、前記ポジショニング情報、及び各場所に対応し、かつ前記データベースの中に予め記憶されている前記位置情報に基づいて、前記端末装置が、ある場所に対応する前記領域範囲に入ったか、または前記領域範囲から離れたかどうかについての決定を容易にするように構成された第１の決定サブユニットを備える、請求項１１に記載のサーバ。
【請求項１３】
前記データベースの中に記憶されている各場所の前記領域範囲情報が、前記それぞれの場所に配備されたワイヤレスネットワークの識別子情報を含み、前記第１の地理上の位置情報決定ユニットは、
前記端末装置のＩｎｔｅｒｎｅｔアクセスモードを決定するように構成されたＩｎｔｅｒｎｅｔアクセスモード決定サブユニットと、
ワイヤレスネットワークの識別情報を、前記Ｉｎｔｅｒｎｅｔアクセスモードが前記ワイヤレスネットワークを介するＩｎｔｅｒｎｅｔアクセスである場合、決定し、前記ワイヤレスネットワークの前記識別子情報を前記地理上の位置情報として設定して、前記データベースの中に記憶されている場所とワイヤレスネットワーク識別子との間の対応関係に基づいて、前記端末装置が、前記場所に対応する前記領域範囲に入ったかどうかを決定し易くし、前記端末装置が別のＩｎｔｅｒｎｅｔアクセスモードまたは別のワイヤレスネットワークに切り替わると、前記端末装置が、前記場所に対応する前記領域範囲から離れたことを決定し易くするように構成された第２の決定サブユニットとを備える、請求項１１に記載のサーバ。
【請求項１４】
プッシュ情報片を削除するサーバであって、
端末装置の地理上の位置情報を決定するように構成された第２の地理上の位置情報決定ユニットと、
前記地理上の位置情報及びプリセットデータベースに従って、前記端末装置が、ある場所に対応する領域範囲に入ったかどうかを決定し、肯定である場合、前記場所に関連している情報片を前記端末装置にプッシュして、前記端末装置の中の第１のアプリケーションに、前記関連する情報片をプロンプト指示させるように構成された第２の情報プッシングユニットであって、前記データベースが、各場所の領域範囲情報及び関連する情報片を記憶している、前記第２の情報プッシングユニットと、
前記端末装置が前記場所に対応する前記領域範囲から離れたという決定、および前記プッシュ情報片が視聴されていないという決定後、前記プッシュ情報片を削除する命令を前記端末装置に送信して、前記端末装置の中の前記第１のアプリケーションに、前記プッシュ情報片を削除させるように構成された第２の削除命令送信ユニットとを備える、前記サーバ。
【請求項１５】
プッシュ情報片を削除する端末装置であって、
サーバ端末によってプッシュされる情報片を受信するように構成されたプッシュ情報受信ユニットであって、前記プッシュ情報片は、前記端末装置が、現在、位置している場所に関連している、前記プッシュ情報受信ユニットと、
前記サーバ端末によって送信される前記プッシュ情報片を削除する命令が受信されると、前記プッシュ情報片を削除するように構成された削除ユニットであって、前記命令は、前記端末装置が前記場所から離れたという決定、および前記プッシュ情報片が視聴されていないという決定後、前記サーバによって送信される、前記削除ユニットとを備える、前記端末装置。
【請求項１６】
前記端末装置から入手されるポジショニング情報を前記サーバに送信するように構成されたポジショニング情報アップローディングユニットであって、それにより、前記サーバは、前記ポジショニング情報を使用して、前記端末装置の地理上の位置情報を決定し、前記地理上の位置情報、及び各場所に対応し、データベースの中に予め記憶される領域範囲情報に従って、前記端末装置が、前記場所に対応する前記領域範囲に入ったか、または前記領域範囲から離れたかどうかを決定する、前記ポジショニング情報アップローディングユニットをさらに備える、請求項１５に記載の端末装置。
【請求項１７】
プッシュ情報片を削除する端末装置であって、第１のアプリケーションモジュールを備え、前記第１のアプリケーションモジュールが、
サーバ端末によってプッシュされる情報片を受信するように構成されたプッシュ情報受信サブモジュールであって、前記プッシュ情報片は、前記端末装置が、現在、位置している場所に関連している、前記プッシュ情報受信サブモジュールと、
前記サーバ端末によって送信される前記プッシュ情報片を削除する命令が受信されると、前記プッシュ情報片を削除するように構成された削除サブモジュールであって、前記命令は、前記端末装置が前記場所から離れたという決定、および前記プッシュ情報片が視聴されていないという決定後、前記サーバによって送信される、前記削除サブモジュールとを備える、前記端末装置。
【請求項１８】
プッシュ情報片を削除する端末装置であって、
サーバからプッシュされる情報片を事前に受信し、前記情報片をローカルに記憶するように構成されたプッシュ予定情報受信ユニットであって、前記情報片が、それぞれの領域範囲属性を含んでいる、前記プッシュ予定情報受信ユニットと、
前記端末装置の地理上の位置情報を決定するように構成された位置決定ユニットと、
前記地理上の位置情報に従って、前記端末装置が、特定の情報片に対応する領域範囲に入ったかどうかを決定し、肯定である場合、前記情報片をプロンプト指示するように構成された情報プロンプト指示ユニットと、
前記端末装置が前記情報片に対応する前記領域範囲から離れたという決定、および前記情報片が読まれていないという決定後、前記情報片を削除するように構成された情報片削除ユニットとを備える、前記端末装置。
【請求項１９】
プッシュ情報片を削除する端末装置であって、第２のアプリケーションモジュールを備え、前記第２のアプリケーションモジュールが、
サーバからプッシュされる情報片を事前に受信し、前記端末装置において、前記情報片をローカルに記憶するように構成されたプッシュ予定情報受信サブモジュールであって、前記情報片が、それぞれの領域範囲属性を含んでいる、前記プッシュ予定情報受信サブモジュールと、
前記端末装置の地理上の位置情報を決定するように構成された位置決定サブモジュールと、
前記地理上の位置情報に従って、前記端末装置が、情報片に対応する領域範囲に入ったかどうかを決定し、肯定である場合、前記情報片をプロンプト指示するように構成された情報プロンプト指示サブモジュールと、
前記端末装置が前記情報片に対応する前記領域範囲から離れたという決定、および前記情報片が読まれていないという決定後、前記情報片を削除するように構成された情報削除サブモジュールとを備える、前記端末装置。
【発明の詳細な説明】
【技術分野】
【０００１】
本出願は、情報プッシング技術の分野に関し、より詳細には、プッシュ情報を削除するための方法、サーバ、及び端末装置に関する。
【背景技術】
【０００２】
日常生活において、人は、ある場所に入ると、通常、その場所に関連している、ショッピングモールに関する販促活動情報などの何らかのプッシュ情報を受け取る。そのようなプッシュ情報は、たとえば、ユーザの意思決定に基準価値を含んだプラス効果を大いにもたらす。しかしながら、別の観点から見ると、そのようなプッシュ情報は、ユーザにいくつかのマイナス効果をもたらす場合がある。たとえば、プッシュシナリオの数が増加するにつれて、ユーザは、ますますより多くのプッシュ情報を受け取る可能性があり、ここでは、ユーザにとって本当に有益であるのは、ほんのいくつかの情報片でしかない場合がありながら、その他は、迷惑な情報として見なされ、ユーザに不便をもたらす場合がある。たとえば、ユーザが、情報リストから所望の情報を検索する必要があるとき、これらのプッシュ情報片によって、干渉が、生じる場合がある。
【０００３】
そのため、いかにして、より効果的にプッシュ情報を管理して、そのプラス効果を使用しながら、そのマイナス効果を最小限に押さえるかということが、当業者によって解決すべき技術的な問題になっている。
【発明の概要】
【０００４】
本願は、ユーザの日常生活におけるそのような情報によって生じる干渉を回避するために、プッシュ情報片を削除するための方法、サーバ、及び端末装置を提供する。
【０００５】
本願は、以下のように解決策を提供する。
【０００６】
プッシュ情報片を削除する方法であって、
端末装置の地理上の位置情報を決定するステップと、
地理上の位置情報及びプリセットデータベースに基づいて、端末装置が、ある場所に対応する領域範囲に入ったかどうかを決定し、肯定である場合、その場所に関連している情報片を端末装置にプッシュして、端末装置に、関連する情報片をプロンプト指示させるステップであって、データベースが、各場所の領域範囲情報及びそれぞれの関連する情報片を記憶している、ステップと、
端末装置がその場所に対応する領域範囲から離れたという決定に応答して、プッシュ情報片を削除する命令を端末装置に送信して、端末装置に、プッシュ情報片を削除させるステップとを含む、方法。
【０００７】
プッシュ情報片を削除する方法であって、
端末装置の地理上の位置情報を決定するステップと、
地理上の位置情報及びプリセットデータベースに基づいて、端末装置が、ある場所に対応する領域範囲に入ったかどうかを決定し、肯定である場合、その場所に関連している情報片を端末装置にプッシュして、端末装置の第１のアプリケーションに、関連する情報片をプロンプト指示させるステップであって、データベースが、各場所の領域範囲情報及びそれぞれの関連する情報片を記憶している、ステップと、
端末装置がその場所に対応する領域範囲から離れたという決定に応答して、プッシュ情報片を削除する命令を端末装置に送信して、端末装置の第１のアプリケーションに、プッシュ情報片を削除させるステップとを含む、方法。
【０００８】
プッシュ情報片を管理する方法であって、
端末装置によって、サーバ端末からプッシュされる情報片を受信するステップであって、プッシュ情報片は、端末装置が、現在、位置している場所に関連している、ステップと、
サーバ端末によって送信されるプッシュ情報片を削除する命令の受信に応答して、プッシュ情報片を削除するステップであって、命令は、端末装置がその場所を離れたという決定後、サーバによって送信される、ステップとを含む、方法。
【０００９】
プッシュ情報片を削除する方法であって、
端末装置の第１のアプリケーションによって、サーバ端末からプッシュされる情報片を受信するステップであって、プッシュ情報片は、端末装置が、現在、位置している場所に関連している、ステップと、
サーバ端末によって送信されるプッシュ情報片を削除する命令の受信に応答して、プッシュ情報片を削除するステップであって、命令は、端末装置がその場所を離れたという決定後、サーバによって送信される、ステップとを含む、方法。
【００１０】
プッシュ情報片を削除する方法であって、
あらかじめ、端末装置によって、サーバからプッシュされることになる情報片を受信し、ローカルに記憶するステップであって、情報片が、領域範囲属性を含む、ステップと、
端末装置の地理上の位置情報を決定するステップと、
地理上の位置情報に基づいて、端末装置が、情報片に対応する領域範囲に入ったかどうかを決定し、肯定である場合、情報片をプロンプト指示するステップと、
端末装置が情報片に対応する領域範囲を離れたという決定に応答して、情報片を削除するステップとを含む、方法。
【００１１】
プッシュ情報片を削除する方法であって、
あらかじめ、端末装置の第１のアプリケーションによって、サーバからプッシュされることになる情報片を受信し、ローカルに記憶するステップであって、情報片が、領域範囲属性を含んでいる、ステップと、
端末装置の地理上の位置情報を決定するステップと、
地理上の位置情報に基づいて、端末装置が、情報片に対応する領域範囲に入ったかどうかを決定し、肯定である場合、情報片をプロンプト指示するステップと、
端末装置が情報片に対応する領域範囲を離れたという決定に応答して、情報片を削除するステップとを含む、方法。
【００１２】
領域範囲属性を含む情報片は、領域範囲に入るユーザ端末装置にプッシュされ、プッシュ情報片は、端末装置が領域範囲から離れた後、削除される。
【００１３】
プッシュ情報片を削除するサーバであって、
端末装置の地理上の位置情報を決定するように構成された第１の地理上の位置情報決定ユニットと、
地理上の位置情報及びプリセットデータベースに従って、端末装置が、ある場所に対応する領域範囲に入ったかどうかを決定し、肯定である場合、その場所に関連している情報片を端末装置にプッシュして、関連する情報片をプロンプト指示させるように構成された第１の情報プッシングユニットであって、データベースが、各場所の領域範囲情報及び関連する情報片を記憶している、第１の情報プッシングユニットと、
端末装置がその場所に対応する領域範囲から離れたという決定後、プッシュ情報片を削除する命令をユーザ端末装置に送信して、端末装置に、プッシュ情報片を削除させるように構成された第１の削除命令送信ユニットとを含む、サーバ。
【００１４】
プッシュ情報片を削除するサーバであって、
端末装置の地理上の位置情報を決定するように構成された第２の地理上の位置情報決定ユニットと、
地理上の位置情報及びプリセットデータベースに従って、端末装置が、ある場所に対応する領域範囲に入ったかどうかを決定し、肯定である場合、その場所に関連している情報片を端末装置にプッシュして、端末装置の中の第１のアプリケーションに、関連する情報片をプロンプト指示させるように構成された第２の情報プッシングユニットであって、データベースが、各場所の領域範囲情報及び関連する情報片を記憶している、第２の情報プッシングユニットと、
端末装置がその場所に対応する領域範囲から離れたという決定後、プッシュ情報片を削除する命令を端末装置に送信して、端末装置の中の第１のアプリケーションに、プッシュ情報片を削除させるように構成された第２の削除命令送信ユニットとを含む、サーバ。
【００１５】
プッシュ情報片を削除する端末装置であって、
サーバ端末によってプッシュされる情報片を受信するように構成されたプッシュ情報受信ユニットであって、プッシュ情報片は、端末装置が、現在、位置している場所に関連している、プッシュ情報受信ユニットと、
サーバ端末によって送信されるプッシュ情報片を削除する命令の受信に応答して、プッシュ情報片を削除するように構成された削除ユニットであって、命令は、端末装置がその場所から離れたという決定後、サーバによって送信される、削除ユニットとを含む、端末装置。
【００１６】
プッシュ情報片を削除する端末装置であって、第１のアプリケーションモジュールを含み、第１のアプリケーションモジュールが、
サーバ端末によってプッシュされる情報片を受信するように構成されたプッシュ情報受信サブモジュールであって、プッシュ情報片は、端末装置が、現在、位置している場所に関連している、プッシュ情報受信サブモジュールと、
サーバ端末によって送信されるプッシュ情報片を削除する命令が受信されると、プッシュ情報片を削除するように構成された削除サブモジュールであって、命令は、端末装置がその場所から離れたという決定後、サーバによって送信される、削除サブモジュールとを含む、端末装置。
【００１７】
プッシュ情報片を削除する端末装置であって、
あらかじめ、サーバによってプッシュされることになる情報片を受信し、ローカルに記憶するように構成されたプッシュ予定情報受信ユニットであって、情報片が、領域範囲属性を含んでいる、プッシュ予定情報受信ユニットと、
端末装置の地理上の位置情報を決定するように構成された位置決定ユニットと、
地理上の位置情報に基づいて、端末装置が、情報片に対応する領域範囲に入ったかどうかを決定し、肯定である場合、情報片をプロンプト指示するように構成された情報プロンプト指示ユニットと、
端末装置が情報片に対応する領域範囲から離れたという決定に応答して、情報片を削除するように構成された情報片削除ユニットとを含む、端末装置。
【００１８】
プッシュ情報片を削除する端末装置であって、第２のアプリケーションモジュールを含み、第２のアプリケーションモジュールが、
サーバによってプッシュされることになる情報片を受信し、端末装置において、ローカルに記憶するように構成されたプッシュ予定情報受信サブモジュールであって、情報片が、領域範囲属性を含んでいる、プッシュ予定情報受信サブモジュールと、
端末装置の地理上の位置情報を決定するように構成された位置決定サブモジュールと、
地理上の位置情報に基づいて、端末装置が、情報片に対応する領域範囲に入ったかどうかを決定し、肯定である場合、情報片をプロンプト指示するように構成された情報プロンプト指示サブモジュールと、
端末装置が情報片に対応する領域範囲から離れたという決定後、情報片を削除するように構成された情報削除サブモジュールとを含む、端末装置。
【００１９】
本願によって提供される例示的な実施形態によれば、本願は、以下の技術的な効果を開示する。
【００２０】
本願の実施形態によれば、ある場所に関連している情報は、ユーザがその場所の領域範囲に入ったという検出と同時に、モバイル端末装置にプッシュされ得、以前のプッシュ情報は、無効または期限切れの情報と見なされ得、ユーザがその場所から離れたという検出後、ユーザ端末装置から削除され、それによって、ユーザの日常生活に対するそのような情報によって生じる干渉が回避される。
【００２１】
本願を実装するいずれの製品も、前述の利点をすべて達成する必要がないことは明白である。
【００２２】
本願の実施形態、または既存の技術における技術的な解決策をより明瞭に説明するために、実施形態を説明するのに使用されることになる図面について、本明細書に簡潔に説明する。説明された図面が、本願のほんの一部の実施形態にすぎないこと、及び当業者が、創造的な努力を何ら行うことなく、これらの図面に従って他の図面を得ることができることは明白である。
【図面の簡単な説明】
【００２３】
【図１】本願の実施形態による第１の方法のフローチャートである。
【図２】本願の実施形態による第２の方法のフローチャートである。
【図３】本願の実施形態による第３の方法のフローチャートである。
【図４】本願の実施形態による第４の方法のフローチャートである。
【図５】本願の実施形態による第５の方法のフローチャートである。
【図６】本願の実施形態による第６の方法のフローチャートである。
【図７】本願の実施形態による第１の装置の略図である。
【図８】本願の実施形態による第２の装置の略図である。
【図９】本願の実施形態による第３の装置の略図である。
【図１０】本願の実施形態による第４の装置の略図である。
【図１１】本願の実施形態による第５の装置の略図である。
【図１２】本願の実施形態による第６の装置の略図である。
【発明を実施するための形態】
【００２４】
本願の実施形態における技術的な解決策は、添付の図面を参照して、本明細書にこれ以降、明瞭かつ完全に説明することとする。説明された実施形態が、本願の実施形態のすべてというよりは、ほんの一部にすぎないことは明白である。本願の実施形態に基づいて、当業者によって得られるすべての他の実施形態は、本願の保護範囲内に入るものとする。
【００２５】
本願の一実施形態においては、プッシュ情報片の管理を実施する多数の手法が存在し得る。たとえば、１つの手法においては、アプリケーション（Ａｐｐ）が、提供され得、Ａｐｐは、サーバとクライアントとに分けられ得る。サーバは、サーバ上で実行され得、クライアントは、各ユーザの端末装置上で実行され得る。ユーザは、ユーザの端末装置にＡＰＰのクライアントをインストールすることができ、端末装置との間の情報のプッシュ及びそれに続く削除の管理動作が、Ａｐｐのサーバとクライアントとの間の相互協働により実施され得る。
【００２６】
代替として、別の手法においては、同じ目的が、サーバと端末装置との間の相互協働により、直接的に達成され得る。言い換えれば、情報のプッシュ、削除などの機能は、特定の端末装置に統合され、端末装置のシステムレベルの機能になり得る。このやり方においては、ユーザは、端末装置に他のアプリケーションクライアントをインストールする必要なしに、これらの機能によってもたらされる利便性を享受することができる。
【００２７】
手短に言えば、実際の適用においては、プッシュされることになる情報片は、概して、サーバ側において生成される。プッシュされることになる情報片が、サーバ側によって端末装置にプッシュされた後、端末装置またはその中にインストールされているＡｐｐクライアントは、それに続く情報のプロンプト指示、削除などの動作を完了することができる。
【００２８】
その上、情報片は、いくつかの異なる場面においてプッシュされ得る。たとえば、１つの様式においては、サーバは、各端末装置の位置を監視し、各端末装置の特定の位置に基づいて、情報片をプッシュすることができる。各端末装置またはその中にインストールされているＡｐｐは、続いて、情報のプロンプト指示、削除などの特定の動作を行う。代替として、別の実施態様においては、サーバは、あらかじめ、端末装置にプッシュされることになるプッシュ情報片を受信し、その情報片を端末装置に記憶することができる。さらには、各情報片は、それぞれの領域範囲属性を含むことができる。このやり方においては、端末装置またはその中にインストールされているＡｐｐは、続いて、端末装置の位置情報に基づいて、どの特定の情報片が、プロンプト指示または削除されるべきであるかを決定する。
【００２９】
そのため、端末装置の相異なる実行エンティティ、及びサーバの相異なるプッシング場面に基づいて、様々な特定の実施態様の解決策が得られる可能性があり、本明細書にこれ以降、個々に紹介される。
【００３０】
［実施形態］
第１の実施形態
本願の第１の実施形態においては、端末装置への情報プッシュ、及びそれに続く削除の管理は、サーバ端末によって開始され得、特定の情報プロンプト指示または削除の動作は、端末装置（紹介を容易にするために、本願の実施形態においては、「第１のアプリケーション」と称される）によって実行される。
【００３１】
具体的には、情報片が上記のシステムを通じてプッシュされる場合、端末装置にプッシュされる情報片は、通常は、ユーザが位置している場所に関連しているので、たとえば、ユーザが、ショッピングモールに入る、またはショッピングモールの近くにいるとき、そのショッピングモールに関連している販促情報などが、ユーザの端末装置にプッシュされ得る。そのため、本願の実施形態においては、データベースが、あらかじめ、サーバに設置され得る。データベースは、各場所に対応する領域範囲情報、及びショッピングモールの販促情報などを含む、各場所に関連している情報を記憶していることができる。たとえば、特定の実施態様においては、データベースの構造は、以下の表１として表すことができる。
【００３２】
【表１】
0006640855.tif 000002
【００３３】
表１においては、領域範囲情報は、たとえば、表１における中心位置及び半径によって表される各場所の位置情報によって表され得る。言い換えれば、各場所は、円形領域に対応することができる。他の表示もまた、他の実施態様において適合され得ることは明白である。たとえば、長方形の領域が、長方形のいずれかの３つの頂点の位置によってマーク付けされ得る。特定の領域範囲が、場所による地理上の面積に等しい場合、または各場所に対応する領域範囲情報がデータベースの中に記録されているとき、好ましい実施態様においては、実際に占有される地理上の面積よりもわずかに大きい場合もあることに留意されたい。これにより、場所の近くに位置しているユーザに対する情報片のプッシングを容易にすることが可能になる。その上、データベースの中に記録されている領域範囲情報が、マップデータベースにより抽出され得ること、または各場所によって提出され得ることにも留意されたい。さらには、各場所に関連している情報もまた、各場所によってサーバに提出され得、たとえば、各情報片の有効期間もまた、提出され得る。このやり方においては、サーバは、有効期間中に、情報をプッシュするサービスを行うことができる。
【００３４】
そのため、ユーザの端末装置のポジショニング情報は、たとえば、ユーザの端末装置におけるポジショニングシステムに基づいて決定され得る。決定されたポジショニング情報は、データベースの中に記録されている各データベースの領域範囲と比較され得る。ユーザの端末装置が、ある特定の場所に対応する領域範囲に入ると、その場所に関連している情報が、端末装置にプッシュされ得る。
【００３５】
さらには、情報プッシュを必要とする場所には、概して、ワイヤレスネットワークが配備されている。たとえば、ＷｉＦｉ信号は、ワイヤレスルータなどによって送信される。ＷｉＦｉ信号のカバレッジに入った端末装置は、ワイヤレスネットワークを介してＩｎｔｅｒｎｅｔにアクセスすることができる。ある側面においては、ＷｉＦｉ信号のカバレッジは、制限される。端末装置がＷｉＦｉ信号のカバレッジに入る場合、これは、そのユーザが、その場所に入ったこと、またはその場所の近くにいることを示す。言い換えれば、ＷｉＦｉ信号のカバレッジは、ある程度まで、その場所に対応する領域範囲を表すことができる。別の側面においては、アプリケーションのサーバの場合、ユーザのＩｎｔｅｒｎｅｔアクセスモードについての情報は、概して、ユーザの許可が得られることを前提として決定され得る。言い換えれば、ユーザが、ある特定のアプリケーションに、そのＩｎｔｅｒｎｅｔアクセスモードについての情報を入手することを許可する場合、アプリケーションのサーバは、ユーザがＷｉＦｉ信号を通じてＩｎｔｅｒｎｅｔにアクセスするときの（サービスセット識別子（Ｓｅｒｖｉｃｅ  ＳＥＴ  Ｉｄｅｎｔｉｆｉｅｒ：ＳＳＩＤ）などの）対応するワイヤレスネットワーク識別子を入手することができる。たとえば、ユーザが、ある特定のショッピングモールのＷｉＦｉ信号を使用してＩｎｔｅｒｎｅｔにアクセスする場合、アプリケーションのサーバは、ユーザが位置しているところのワイヤレスネットワークのＳＳＩＤを入手することができる。
【００３６】
上記の２つの側面の因子に基づいて、各場所の領域範囲情報が、データベースの中に記憶されているとき、領域範囲情報は、各場所に配備されたそれぞれのワイヤレスネットワークの識別子を使用して、直接、表され得る。たとえば、データベースの特定の構造が、以下の表２に表され得る。
【００３７】
【表２】
0006640855.tif 000003
【００３８】
各場所のＳＳＩＤ及び関連する情報などは、サーバ端末に、それぞれの場所によって提出され、データベースの中に記録され得る。このやり方においては、端末装置が、ある特定の場所の領域範囲に入ったかどうかを決定するために、まず、そのようなユーザ機器が、ワイヤレスネットワークを介してＩｎｔｅｒｎｅｔにアクセスしたかどうかについての決定が行われ得る。肯定である場合、ユーザ機器によって使用されるワイヤレスネットワークの識別子が入手され、データベースの中の記録された情報と比較される。入手された識別子が、その記録の中のワイヤレスネットワーク識別子と同一である場合、これは、端末装置が、ある特定の場所におけるワイヤレスネットワークを使用してＩｎｔｅｒｎｅｔにアクセスしたことを示し、端末装置がその場所に対応する領域範囲の中に位置しているかどうかについての決定がさらに行われ得る。
【００３９】
手短に言えば、上記のデータベースがサーバ端末に予め記憶されている状況下で、情報片をユーザ端末装置にプッシュする処理が、そのデータベースに基づいて実施され得る。したがって、本願の一実施形態においては、ユーザ端末装置にプッシュされた情報は、続いて、それに基づいて処理され得る。具体的には、本願の実施形態においては、ある場所に基づいてプッシュされる情報は、概して、ユーザが、依然としてその場所の領域範囲の中にいるときのみ有効であり、一旦、ユーザがその場所の領域範囲から離れると、無効である可能性があることを考慮に入れた後、ユーザ端末装置の位置は、関連する情報がその場所に基づいてユーザにプッシュされた後、さらに監視され得る。ユーザがその場所に対応する領域範囲から離れたという検出に応答して、プッシュ情報は、削除されて、過大な量の期限切れまたは無効の情報によって生じる混乱が、ユーザの日常生活に来すことがないようにすることができる。その詳細は、本明細書にこれ以降、紹介される。
【００４０】
図１を参照すると、まず、本願の第１の実施形態は、サーバ端末の観点から、プッシュ情報片を削除する方法を提供する。この方法は、以下の動作を含むことができる。
【００４１】
Ｓ１０１：端末装置の地理上の位置情報が、決定される。
【００４２】
特定の実施態様においては、サーバは、多様な異なる手法を使用して、端末装置の地理上の位置情報を決定することができる。特定の手法は、サーバ端末のデータベースの中に記憶されている各場所の領域範囲情報に対応することができる。たとえば、データベースの中に記憶されている各場所の領域範囲情報が、それぞれの場所の位置情報によって表される場合、ユーザの端末装置の地理上の位置情報は、ユーザの端末装置のクライアントによってアップロードされるポジショニング情報に基づいて決定され得る。言い換えれば、この場合においては、ユーザの端末装置には、概して、ポジショニングシステムが装備されているので、ユーザのポジショニング情報は、リアルタイムに監視可能であり、概して、位置の形で表され得る。そのため、クライアントは、ポジショニングシステムからポジショニング情報を読み取り、ポジショニング情報をサーバにアップロードすることができ、それにより、サーバは、ポジショニング情報に基づいて、ユーザの端末装置の地理上の位置情報を決定することができる。
【００４３】
サーバのデータベースの中に記憶されている各場所の領域情報が、それぞれの場所に配備されたワイヤレスネットワークの識別子情報である場合、ユーザの端末装置によって使用されるＩｎｔｅｒｎｅｔアクセスモードは、ユーザの端末装置の地理上の位置情報を決定するとき、決定され得る。Ｉｎｔｅｒｎｅｔが、ワイヤレスネットワークを介してアクセスされる場合、ワイヤレスネットワークの識別子情報は、入手され得、ユーザの端末装置の地理上の位置情報として使用される。この識別子情報が、地理上の位置を直接的には表していないが、端末装置が、ある特定の領域範囲内に位置しているかどうかを間接的に示すことができることは明白であり、なぜならばワイヤレスネットワーク信号のカバレッジは、領域範囲を有しており、ワイヤレスネットワーク信号を伝送する装置の位置は、概して、固定されているからである。
【００４４】
Ｓ１０２：地理上の位置情報及びプリセットデータベースに基づいて、端末装置が、ある場所に対応する領域範囲に入ったかどうかについての決定が行われ、肯定である場合、その場所に関連している情報片（複数可）が、端末装置にプッシュされて、端末装置に、関連する情報片（複数可）をプロンプト指示させ、ここで、データベースは、各場所の領域範囲情報及び関連の情報片を記憶している。
【００４５】
ユーザ端末装置の地理上の位置情報が、決定された後、地理上の位置情報は、データベースの中に記憶されている各場所の領域範囲情報と比較され得る。たとえば、地理上の位置情報が、ポジショニング情報である場合、ポジショニング情報は、ポジショニング情報に対応する位置が、ある特定の場所の領域範囲内に位置しているかどうかを決定するために、データベースの中に記憶されている各場所の位置情報と比較され得る。地理上の位置情報が、ワイヤレスネットワーク識別子情報である場合、ワイヤレスネットワーク識別子情報は、データベースの中に記憶されている各場所に対応するワイヤレスネットワーク識別子に合致し得る。ワイヤレスネットワーク識別子情報が、ある特定の場所に対応するワイヤレスネットワーク識別子と同一である場合、端末装置は、その場所の領域範囲などに位置していると決定され得る。
【００４６】
さらには、ユーザが、ある特定の場所の領域範囲に位置しているという決定後、その場所に関連している情報片（複数可）は、データベースから抽出され、ユーザの端末装置にプッシュされ得、なぜならばデータベースはまた、各場所に関連しているそれぞれの情報片も記録しているからである。したがって、端末装置またはその中にインストールされている第１のアプリケーションは、プッシュ情報片（複数可）が受信されたことをユーザにプロンプト指示することができ、またディスプレイ、音声プレイバックなどの形態で、情報片（複数可）をユーザに提供することができる。
【００４７】
Ｓ１０３：端末装置がその場所に対応する領域範囲から離れたという決定と同時に、プッシュ情報片（複数可）を削除する命令が、端末装置に送信されて、端末装置に、プッシュ情報片（複数可）を削除させる。
【００４８】
端末装置が位置している場所に関連している情報片（複数可）が、上記の様式で端末装置にプッシュされた後、本願の実施形態は、継続的にユーザの端末装置の地理上の位置情報をさらに監視することができ、端末装置がその場所の領域範囲から離れたという検出と同時に、プッシュ情報片（複数可）を削除する命令を送信することができる。そのため、端末装置は、プッシュ情報片（複数可）を削除することができ、ユーザは、これ以上、プッシュ情報片（複数可）を見ることができず、したがって、ユーザに対する干渉が全くもたらされなくなる。
【００４９】
言い換えれば、本願の本実施形態においては、ある場所に関連している情報片（複数可）は、ユーザが、その場所の領域範囲に入ったという検出に応答して、モバイル端末装置にプッシュされ得る。ユーザが、その場所から離れたという検出に応答して、以前のプッシュ情報片（複数可）は、無効または期限切れの情報と見なされ、ユーザの端末装置から削除され得、それによって、ユーザの日常生活に対するそのような情報片（複数可）によって生じる干渉が回避される。
【００５０】
実際の適用においては、ユーザがプッシュ情報片を受信した後、プッシュ情報片の特定のコンテンツは、概して、ユーザが、たとえば、クリックによって視聴操作をトリガするときのみ、ユーザに表示され、再生されることは明白である。別の形では、ユーザは、たとえば、アプリケーションアイコンへのタグの追加などの様式で、プロンプト指示され得る。特定のコンテンツがユーザによって視聴されたプッシュ情報片は、ユーザがその特定のコンテンツを視聴したとの理由から、しばらく経って、ユーザにとって有益である可能性があり、自分にとって無益であると決定される場合、手動で、それを削除することができる。そのため、本願の好ましい実施形態においては、ユーザにとって有益な情報片の削除を回避するために、プッシュ情報片のユーザ視聴状況は、ユーザが場所の領域範囲から離れたという検出後、削除命令がクライアントに送信される前に決定され得る。情報片が視聴されていない場合、削除命令は、クライアントに送信される。そうでない場合、削除命令は、送信されない。特定の実施態様においては、サーバが、プッシュ情報片の視聴状況を取得できるようにするために、クライアントは、プッシュ情報片の視聴状況を監視し、プッシュ情報片が視聴されているという発見に応答して、サーバに通知メッセージを送信することができることは明白である。このやり方においては、サーバは、クライアントからの通知メッセージが受信されたかどうかに基づいて、プッシュ情報片が視聴されたかどうかを決定することができる。
【００５１】
第２の実施形態
第１の実施形態においては、サーバが情報片を端末装置にプッシュした後、端末装置は、それ自体によって情報片をプロンプト指示し、続いて、サーバから削除命令を受信後、それ自体に対する削除動作を行う。本願の第２の実施形態は、第１の実施形態とは異なり、ここでは、端末装置の中の第１のアプリケーションが、実際のプロンプト指示及び削除の動作を行う。言い換えれば、第２の実施形態もまた、サーバの観点からプッシュ情報片を削除する方法を提供する。図２を参照すると、この方法は、以下の動作を含むことができる。
【００５２】
Ｓ２０１：端末装置の地理上の位置情報が、決定される。
【００５３】
Ｓ２０２：地理上の位置情報及びプリセットデータベースに基づいて、端末装置が、ある場所に対応する領域範囲に入ったかどうかについての決定が行われ、肯定である場合、その場所に関連している情報片（複数可）が、端末装置にプッシュされて、端末装置の中の第１のアプリケーションに、関連する情報片（複数可）をプロンプト指示させ、ここで、データベースは、各場所の領域範囲情報及び関連する情報片を記憶している。
【００５４】
Ｓ２０３：端末装置がその場所に対応する領域範囲から離れたという決定と同時に、プッシュ情報片(複数可)を削除する命令が、端末装置に送信されて、端末装置の中の第１のアプリケーションに、プッシュ情報片（複数可）を削除させる。
【００５５】
第３の実施形態
第１の実施形態及び第２の実施形態は、詳細には、主にサーバの観点から、本願の実施形態によるプッシュ情報片を管理する方法を紹介し、一方、第３の実施形態は、主に端末装置の観点から説明を提供する。具体的には、端末装置の終端における実行エンティティは、それ自体、端末装置、または端末装置の中の第１のアプリケーションとすることができるので、２つの状況は、別個に説明される。図３を参照すると、第３の実施形態は、端末装置を実行エンティティとして使用して、プッシュ情報片を削除する方法を提供し、この方法は、以下の動作を含むことができる。
【００５６】
Ｓ３０１：端末装置が、サーバによってプッシュされる情報片（複数可）を受信し、プッシュ情報片（複数可）は、端末装置が、現在、位置している場所に関連している。
【００５７】
Ｓ３０２：サーバからのプッシュ情報片（複数可）を削除する命令の受信に応答して、プッシュ情報片（複数可）は、削除され、命令は、端末装置がその場所から離れたという決定後、サーバによって送信される。
【００５８】
言い換えれば、端末装置の場合、その主な機能は、サーバによってプッシュされる情報片を受信後、ユーザにプロンプト指示すること、及びサーバからのプッシュ情報片を削除する命令の受信に応答して、対応する削除動作を行うことである。特定の実施態様においては、サーバが、端末装置の地理上の位置情報を入手できるようにするために、端末装置は、端末装置から入手されるポジショニング情報をサーバに送信することができ、それにより、サーバは、ポジショニング情報を使用して、端末装置の地理上の位置情報を決定し、地理上の位置情報、及び各場所に対応し、かつデータベースの中に記憶されているそれぞれの領域範囲情報に基づいて、端末装置が、ある場所に対応する領域範囲に入ったか、またはその領域範囲から離れたかどうかを決定することができることは明白である。さらには、プッシュ情報片が視聴されると、端末装置はまた、通知メッセージをサーバに送信することができ、それにより、サーバは、通知メッセージをサーバに基づいて、プッシュ情報片の視聴状況を決定することができ、端末装置がその場所に対応する領域範囲から離れたという決定後、プッシュ情報片が視聴されない場合、プッシュ情報片を削除する命令を送信し、それによって、ユーザにとって有益である可能性があるプッシュ情報片（複数可）の削除が回避される。
【００５９】
第４の実施形態
第３の実施形態と同様に、第４の実施形態もまた、ユーザ側の観点から説明を提供するが、端末装置の中の第１のアプリケーションを実行エンティティとして使用する。図４を参照すると、第４の実施形態は、プッシュ情報片を削除する方法を提供し、この方法は、以下の動作を含むことができる。
【００６０】
Ｓ４０１：端末装置の第１のアプリケーションが、サーバ端末によってプッシュされる情報片（複数可）を受信し、プッシュ情報片（複数可）は、端末装置が、現在、位置している場所に関連している。
【００６１】
Ｓ４０２：サーバ端末によって送信されるプッシュ情報片（複数可）を削除する命令が受信されると、プッシュ情報片（複数可）は、削除され、命令は、端末装置がその場所から離れたという決定後、サーバによって送信される。
【００６２】
第３の実施形態及び第４の実施形態が、第１の実施形態及び第２の実施形態に対応し、第１の実施形態と比較すると、説明の観点から異なっているだけであることに留意されたい。関連する実施態様の詳細は、第１の実施形態及び第２の実施形態において紹介されている。そのため、第１の実施形態及び第２の実施形態における説明が参照され得、その詳細は、本明細書において、繰り返し説明しない。
【００６３】
第５の実施形態
前述の諸実施形態においては、サーバは、ユーザの端末装置の地理上の位置情報を決定し、端末装置が、ある場所の領域範囲に入ったか、またはその領域範囲から離れたかどうかを検出し、それにより、関連する情報片が、プッシュされ、または削除される。第５の実施形態においては、サーバはまた、あらかじめ、端末装置にプッシュされることになる情報片（複数可）を送信することができ、ただし、各情報片は、対応する領域範囲属性を含んでいる。サーバによってプッシュされる情報片（複数可）を受信後、端末装置は、最初、ユーザに情報片（複数可）をプッシュすることができないが、バックステージにおいて、情報片（複数可）を記憶することができることは明白である。さらには、端末装置またはその中の第１のアプリケーションは、ユーザの端末装置の地理上の位置情報を検出し、端末装置が、ある特定の情報片に関連付けられる領域範囲に入ったという検出に応答して、ユーザにプロンプト指示する、たとえば、情報片を視聴するようにユーザにプロンプト指示し、端末装置が情報片に関連付けられる領域範囲から離れたという検出と同時に、情報片を削除する。言い換えれば、サーバは、もはや、ユーザの端末装置の地理上の位置情報を決定せず、したがって、この手法の下、情報片をプッシュし、または削除命令を送信する。情報片がクライアントにプッシュされた後、それに続くプッシング及び削除の動作が、端末装置またはその中の第１のアプリケーションによって完了され得る。
【００６４】
具体的には、第５の実施形態は、ユーザ側の観点から説明を提供し、端末装置を実行エンティティとして考慮する。図５を参照すると、第５の実施形態は、プッシュ情報片を削除する別の方法を提供し、この方法は、以下の動作を含むことができる。
【００６５】
Ｓ５０１：端末装置が、あらかじめ、サーバからプッシュされることになる情報片（複数可）を受信し、ローカルに記憶し、情報片（複数可）は、それぞれの領域範囲属性（複数可）を含んでいる。
【００６６】
情報片に含まれている領域範囲属性は、サーバにおいて確定され得る。サーバは、多数の情報片を一度に端末装置にプッシュすることができ、相異なる情報片は、相異なる領域範囲属性に対応することができる。特定の実施態様においては、ユーザトラフィックの占有を回避し、プッシュの成功率を向上させるために、サーバは、ユーザの端末装置がＷｉＦｉなどを介してＩｎｔｅｒｎｅｔにアクセスすると、情報片をプッシュすることができる。サーバ端末によって送信される情報片を受信後、端末装置は、まず、バックエンドにおいて、情報片をローカルに記憶することができ、すなわち、ユーザは、必ずしもこの処理について気付いているとは限らない。
【００６７】
Ｓ５０２：端末装置の地理上の位置情報が、決定される。
【００６８】
サーバによってプッシュされる情報片（複数可）の受信後、端末装置は、その地理上の位置情報を監視することができる。具体的には、地理上の位置情報は、端末装置に備わっているポジショニングシステムを使用して入手され得る。
【００６９】
Ｓ５０３：地理上の位置情報に基づいて、端末装置が、ある特定の情報片に対応する領域範囲に入ったかどうかについての決定が行われ、肯定である場合、情報は、プロンプト指示される。
【００７０】
端末装置の地理上の位置情報を検出後、端末装置は、地理上の位置情報を、各情報片に対応するそれぞれの領域範囲情報と比較し、情報片を、端末装置がその情報片に対応する領域範囲に入ったという検出に応答して、プロンプト指示することができ（すなわち、バックエンドからフロントエンドにプッシュし）、それにより、ユーザは、その情報片について気付くことができる。
【００７１】
Ｓ５０４：端末装置が情報片に対応する領域範囲から離れたという決定と同時に、情報片は、削除される。
【００７２】
続いて、端末装置が情報片に対応する領域範囲から離れたという検出後、端末装置は、直接、情報片を削除して、ユーザにとって無効な情報によって生じる干渉を回避することができる。この第５の実施形態においては、情報片が読み取られていない場合、無効の情報片として削除され得ることは明白である。あるいは、読み取られている場合には、情報片は削除されない。
【００７３】
第６の実施形態
第６の実施形態は、第５の実施形態に対応し、実行エンティティに関して異なっているだけである。したがって、この実施形態については、簡潔に説明する。具体的には、第６の実施形態においては、実行エンティティは、端末装置の中にインストールされている第２のアプリケーションとすることができる。図６を参照すると、第６の実施形態によって提供されるプッシュ情報片を削除する方法は、以下の動作を含むことができる。
【００７４】
Ｓ６０１：端末装置の第２のアプリケーションが、サーバからプッシュされることになる情報片（複数可）を受信し、端末装置において、情報片（複数可）をローカルに記憶し、ここで、情報片（複数可）は、それぞれの領域範囲属性（複数可）を含んでいる。
【００７５】
Ｓ６０２：端末装置の地理上の位置情報が、決定される。
【００７６】
Ｓ６０３：地理上の位置情報に基づいて、端末装置が、ある特定の情報片に対応する領域範囲に入ったかどうかについての決定が行われ、肯定である場合、情報片をプロンプト指示する。
【００７７】
Ｓ６０４：端末装置が情報片に対応する領域範囲から離れたという決定後、情報片は、削除される。
【００７８】
第５及び第６の実施形態の解決策においては、サーバは、地理上の領域範囲属性を含む情報片を生成し、情報片を端末装置に送信するように構成されていることに留意されたい。
【００７９】
第７の実施形態
第５及び第６の実施形態によって提供される解決策に対応して、第７の実施形態は、情報片のタイプをさらに提供する。情報片のこのタイプは、領域範囲属性を含み、それにより、情報片は、ある領域範囲に入った端末装置にプッシュされ、端末装置が領域範囲から離れると、削除される。
【００８０】
本願の第１の実施形態によるプッシュ情報片を削除する方法に対応して、本願の実施形態はまた、プッシュ情報片を削除するサーバを提供する。図７を参照すると、このサーバは、具体的には、
端末装置の地理上の位置情報を決定するように構成された第１の地理上の位置情報決定ユニット７０１と、
地理上の位置情報及びプリセットデータセットに基づいて、端末装置が、ある場所に対応する領域範囲に入ったかどうかを決定し、肯定である場合、その場所に関連しているプッシュ情報片（複数可）を端末装置にプッシュして、端末装置またはその中の第１のアプリケーションに、関連する情報片（複数可）をプロンプト指示させるように構成された第１の情報プッシングユニット７０２であって、データベースが、各場所の領域範囲情報及びそれぞれの関連する情報片を記憶している、第１の情報プッシングユニット７０２と、
端末装置がその場所に対応する領域範囲から離れたという決定に応答して、プッシュ情報片（複数可）を削除する命令を端末装置に送信して、端末装置またはその中の第１のアプリケーションに、プッシュ情報片（複数可）を削除させるように構成された第１の削除命令送信ユニット７０３とを含むことができる。
【００８１】
データベースの中に記憶されている各場所の領域範囲情報は、それぞれの場所に対応する位置情報を含む。第１の地理上の位置情報決定ユニットは、
端末装置によってアップロードされるポジショニング情報に基づいて、端末装置の地理上の位置情報を決定するように構成された第１の決定サブユニットであって、それにより、端末装置が、場所に対応する領域範囲に入ったか、またはその領域範囲から離れたかどうかについての決定が、ポジショニング情報、及び各場所に対応し、かつデータベースの中に予め記憶されている位置情報に基づいて決定される、第１の決定サブユニットを含む。
【００８２】
代替として、データベースの中に記憶されている各場所の地理上の位置情報は、それぞれの場所に配備されたワイヤレスネットワークの識別子情報を含む。第１の地理上の位置情報決定ユニットは、
端末装置のＩｎｔｅｒｎｅｔアクセスモードを決定するように構成されたＩｎｔｅｒｎｅｔアクセスモード決定サブユニットと、
ワイヤレスネットワークの識別子情報を、Ｉｎｔｅｒｎｅｔアクセスモードがワイヤレスネットワークを介するＩｎｔｅｒｎｅｔアクセスである場合、決定し、ワイヤレスネットワークの識別子情報を地理上の位置情報として設定して、データベースの中に記憶されている場所とワイヤレスネットワーク識別子との間の対応関係に基づいて、端末装置が場所に対応する領域範囲に入ったかどうかを決定し易くし、端末装置が別のＩｎｔｅｒｎｅｔアクセスモードまたは別のワイヤレスネットワークに切り替わると、端末装置がその場所に対応する領域範囲から離れたことを決定するように構成された第２の決定サブユニットとを含む。
【００８３】
本願の第２の実施形態によるプッシュ情報片を削除する方法に対応して、本願の実施形態はまた、プッシュ情報片を削除する別のサーバを提供する。図８を参照すると、このサーバは、
端末装置の地理上の位置情報を決定するように構成された第２の地理上の位置情報決定ユニット８０１と、
地理上の位置情報及びプリセットデータベースに基づいて、端末装置が、ある場所に対応する領域範囲に入ったかどうかを決定し、肯定である場合、その場所に関連しているプッシュ情報片（複数可）を端末装置にプッシュして、端末装置の中の第１のアプリケーションに、関連する情報片（複数可）をプロンプト指示させるように構成された第２の情報プッシングユニット８０２であって、データベースが、各場所の領域範囲情報及び関連する情報片を記憶している、第２の情報プッシングユニット８０２と、
端末装置がその場所に対応する領域範囲から離れたという決定後、プッシュ情報片（複数可）を削除する命令を端末装置に送信するように構成された第２の削除命令送信ユニット８０３であって、それにより、端末装置の中の第１のアプリケーションが、プッシュ情報片（複数可）を削除する、第２の削除命令送信ユニット８０３とを含むことができる。
【００８４】
本願の第３の実施形態によるプッシュ情報片を削除する方法に対応して、本願の実施形態はまた、プッシュ情報片を削除する端末装置を提供する。図９を参照すると、この端末装置は、
サーバ端末によってプッシュされる情報片（複数可）を受信するように構成されたプッシュ情報受信ユニット９０１であって、プッシュ情報片（複数可）は、端末装置が、現在、位置している場所に関連している、プッシュ情報受信ユニット９０１と、
サーバ端末によって送信されるプッシュ情報片（複数可）を削除する命令の受信に応答して、プッシュ情報片（複数可）を削除するように構成された削除ユニット９０２であって、命令は、端末装置がその場所から離れたという決定後、サーバによって送信される、削除ユニット９０２とを含むことができる。
【００８５】
特定の実施態様においては、端末装置はまた、
端末装置から入手されるポジショニング情報をサーバに送信するように構成されたポジショニング情報アップローディングユニットであって、それにより、サーバが、ポジショニング情報を使用して、端末装置の地理上の位置情報を決定し、地理上の位置情報、及び各場所に対応し、かつデータベースの中に予め記憶されているそれぞれの領域範囲情報に基づいて、端末装置が、場所に対応する領域範囲に入ったか、またはその領域範囲から離れたかどうかを決定する、ポジショニング情報アップローディングユニットを含むことができる。
【００８６】
本願の第４の実施形態によるプッシュ情報片を削除する方法に対応して、本願の実施形態はまた、プッシュ情報片を削除する端末装置を提供する。この端末装置は、第１のアプリケーションモジュールを含む。図１０を参照すると、第１のアプリケーションモジュール１００は、
サーバ端末によってプッシュされる情報片（複数可）を受信するように構成されたプッシュ情報受信サブモジュール１００１であって、プッシュ情報片（複数可）は、端末装置が、現在、位置している場所に関連している、プッシュ情報受信サブモジュール１００１と、
サーバ端末から送信されるプッシュ情報片（複数可）を削除する命令の受信に応答して、プッシュ情報片（複数可）を削除するように構成された削除サブモジュール１００２であって、命令は、端末装置がその場所から離れたという決定後、サーバによって送信される、削除サブモジュール１００２とを含むことができる。
【００８７】
本願の第５の実施形態によるプッシュ情報片を削除する方法に対応して、本願の実施形態はまた、プッシュ情報片を削除する端末装置を提供する。図１１を参照すると、この端末装置は、
あらかじめ、サーバからプッシュされることになる情報片（複数可）を受信し、ローカルに記憶するように構成されたプッシュ予定情報受信ユニット１１０１であって、情報片（複数可）が、それぞれの領域範囲属性（複数可）を含んでいる、プッシュ予定情報受信ユニット１１０１と、
端末装置の地理上の位置情報を決定するように構成された位置決定ユニット１１０２と、
地理上の位置情報に従って、端末装置が、特定の情報片に対応する領域範囲に入ったかどうかを決定し、肯定である場合、情報片をプロンプト指示するように構成された情報プロンプト指示ユニット１１０３と、
端末装置が情報片に対応する領域範囲から離れたという決定に応答して、情報片を削除するように構成された情報片削除ユニット１１０４とを含むことができる。
【００８８】
本願の第６の実施形態によるプッシュ情報片を削除する方法に対応して、本願の実施形態はまた、プッシュ情報片を削除する端末装置を提供する。図１２を参照すると、この端末装置は、第２のアプリケーションモジュール１２０を含み、第２のアプリケーションモジュール１２０は、
サーバからプッシュされることになる情報片（複数可）を受信し、端末装置において、ローカルに記憶するように構成されたプッシュ予定情報受信サブモジュール１２０１であって、情報片（複数可）が、それぞれの領域範囲属性（複数可）を含んでいる、プッシュ予定情報受信サブモジュール１２０１と、
端末装置の地理上の位置情報を決定するように構成された位置決定サブモジュール１２０２と、
地理上の位置情報に従って、端末装置が、特定の情報片に対応する領域範囲に入ったかどうかを決定し、肯定である場合、情報片をプロンプト指示するように構成された情報プロンプト指示サブモジュール１２０３と、
端末装置が情報片に対応する領域範囲から離れたという決定後、情報片を削除するように構成された情報削除サブモジュール１２０４とを含むことができる。
【００８９】
本願の実施形態によれば、ある場所に関連している情報は、ユーザがその場所の領域範囲に入ったという検出後、モバイル端末装置にプッシュされ得、以前のプッシュ情報は、無効または期限切れの情報と見なされ、ユーザが、その場所からはなれたという検出後、ユーザの端末装置から削除され得、それによって、ユーザの日常生活に対するそのような情報によって生じる干渉が回避される。
【００９０】
実施態様の前述の説明を通して、当業者は、本願が、ソフトウェアと、必要なユニバーサルハードウェアプラットフォームとの組合せによって実施され得ることを明瞭に理解することができる。そのような理解に基づいて、本願の技術的な解決策の本質、または既存技術に寄与する部分は、ソフトウェア製品の形態で具現化され得る。コンピュータソフトウェア製品は、ＲＯＭ／ＲＡＭ、磁気ディスク、または光ディスクなどの記憶媒体の中に記憶され得、（パーソナルコンピュータ、サーバ、またはネットワークデバイスなどとすることができる）コンピューティングデバイスに、本願の実施形態、または実施形態の特定の部分における方法を実行させる命令を含むことができる。
【００９１】
本明細書における実施形態はすべて、漸進的な様式で説明されており、実施形態の同じまたは類似の一部について、互いに参照され得る。各実施形態について強調することは、他の実施形態について強調することとは異なっている。具体的には、システムまたはシステムの実施形態は、方法の実施形態にかなり類似しているので、システムまたはシステムの実施形態は、比較的簡潔に説明され、関連している一部について方法の実施形態において対応する説明が参照され得る。上記に説明されたシステムまたはシステムの実施形態は、単に例示にすぎない。別個の構成要素として説明されているユニットは、物理的に分離されていても、または分離されていなくてもよく、ユニットとして示されている構成要素は、物理的なユニットであっても、または物理的なユニットでなくてもよく、すなわち、複数のネットワークユニット間で統合されても、または分散されてもよい。モジュールのうちの一部またはすべては、実際の要件に従って、実施形態の解決策の目的を達成するように選択され得る。当業者は、創造的な努力を何ら行わなくても、本願を理解し、実施することができる。
【００９２】
本願によるプッシュ情報片を削除する方法、サーバ、及び端末装置は、上記に詳細に説明されている。本願の原理及び実施態様は、特定の例を使用して、本明細書に説明されている。本願の実施形態の説明は、単に、本願の方法及び核となるアイディアを理解し易くするためにのみ提供されているにすぎない。当業者は、本願のアイディアに基づいて、特定の実施態様及び適用範囲に対して修正を行うことができる。手短に言えば、本明細書の内容は、本願に対する限定と見なすべきではない。
【図１】
0006640855.tif 000004
【図２】
0006640855.tif 000005
【図３】
0006640855.tif 000006
【図４】
0006640855.tif 000007
【図５】
0006640855.tif 000008
【図６】
0006640855.tif 000009
【図７】
0006640855.tif 000010
【図８】
0006640855.tif 000011
【図９】
0006640855.tif 000012
【図１０】
0006640855.tif 000013
【図１１】
0006640855.tif 000014
【図１２】
0006640855.tif 000015